(57)【要約】【課題】例えば坂道や、水勾配によって傾斜した歩道等に地上電設機器を据え付け設置する際、設置現場の傾斜角度に対応してその場で調整設定して水平状態で設置できる。【解決手段】地中埋設の電気設備施設Ｈの地上開口部に位置決め設置する支持台本体１と、電気設備施設Ｈの地上開口部の受枠Ｈ１上で出没自在に進退するアジャスター体１５を有して支持台本体１に設ける傾斜調整機構１０とを備える。傾斜調整機構１０は、支持台本体１に固定されるベース体１１に対し、下端がベース体１１底部から出没自在になっているアジャスター体１５を進退自在にねじ込み、このアジャスター体１５に、電気設備施設Ｈの開口部に当接連繋される取付ボルト２１をアジャスター体１５の底部に傾動自在に係合挿入して成る。取付ボルト２１は、アジャスター体１５底部のボルト係合部１８に湾曲したコロ体２２を介して係合する。【選択図】図４
2009207216.tif 000002
【特許請求の範囲】
【請求項１】
地中埋設のハンドホールの如き電気設備施設の地上開口部に位置決め設置される支持台本体と、電気設備施設の地上開口部の受枠上で出没自在に進退されるアジャスター体を有して支持台本体に設けられた傾斜調整機構とを備えて成ることを特徴とする傾斜地用の地上電設機器の支持台装置。
【請求項２】
支持台本体は、電気設備施設の地表面で開口している開口部分を施蓋するよう開口部分に設置され、地上電設機器の底面の周囲形状に対応している枠体から成り、この枠体は断面で矩形状を呈する周囲枠部内にコンクリート材の如き固形物を充填することで形成されている請求項１に記載の傾斜地用の地上電設機器の支持台装置。
【請求項３】
傾斜調整機構は、内周面に送り雌ネジが形成されていて、支持台本体に固定されるベース体と、このベース体に進退自在にねじ込まれるよう外周面に送り雄ネジが形成されていて、下端がベース体底部から出没自在になっているアジャスター体と、このアジャスター体に挿入され、アジャスター体の底部に傾動自在に係合して電気設備施設の開口部に当接連繋される取付ボルトとから成る請求項１に記載の傾斜地用の地上電設機器の支持台装置。
【請求項４】
アジャスター体の底部には、底部開口に至るに伴い次第に窄まり状となるボルト係合部と、このボルト係合部に連続させて底部開口に至るに伴い次第に拡開する傾斜調整部とを備えている請求項３に記載の傾斜地用の地上電設機器の支持台装置。
【請求項５】
ボルト係合部は湾曲上面を有し、このボルト係合部と取付ボルト頭部との間には、湾曲上面に対応して底面が湾曲しているコロ体が介在されるようにしてある請求項３または４に記載の傾斜地用の地上電設機器の支持台装置。
【請求項６】
取付ボルトは、電気設備施設の受枠に装架される敷板に、ネジ止め部位で形成してある湾曲面を介して当接させることで傾動自在にネジ止めしてある請求項３乃至５のいずれかに記載の傾斜地用の地上電設機器の支持台装置。
【発明の詳細な説明】
【技術分野】
【０００１】
本発明は、例えば坂道や、水勾配が設定されることで僅かでも傾斜している歩道上に設置される各種の電設設備における地上電設機器を、その傾斜を矯正して鉛直方向に沿って垂直に支持調整して設置固定できるようにした傾斜地用の地上電設機器の支持台装置に関する。
【背景技術】
【０００２】
近時、電力、通信用の各種ケーブルを地中に埋設する地中化がすすみ、それに伴いケーブルの分岐、点検その他のために配設される各種機器を収納する埋設型のハンドホール上に縦長ボックス状の地上電設機器が地上、特に車道に近接した歩道縁上に設置されることが多い。ただ、歩道には、車道側に向かって僅かにでも例えば２％程度で下方傾斜している水勾配が付されているために、その傾斜した歩道面に沿って地上電設機器をそのまま設置すると、例えば歩道縁に鉛直方向に沿って立てられて配列されているガードレール等がある場合には、このガードレール等と比較すると地上電設機器の傾斜状態が一層顕著なものとなり、それが大きく目立ってしまう。
【０００３】
こうした傾斜状態を解消するため、現状では、地上電設機器を鉛直方向に沿って設置するのに、設置前に現場調査を実施し、ハンドホールの地上開口部分を閉塞する蓋体と共に歩道面の傾斜に対応した架台を別に設計し、製作している。
【特許文献１】特になし
【発明の開示】
【発明が解決しようとする課題】
【０００４】
しかしながら、このような特別な架台の設計、製作は、現場における事前の調査が必要であり、また特注品となることで手間と時間とが掛かり、コスト高となる。また、何らかの事情で設置場所の工事状況その他に変更があって、実際に設置する設置部位の傾斜程度が当初と異なることになると、製作された架台に対して変更後に対応できるような再調整が、更に場合によっては再度の製作が必要となる。そればかりでなく、このような事情変更による再調整のみならず、事前調査に基づき、これに対応した架台を製作しても、実際の据付現場においてはそれがしっくりと据え付けられるように、仮置き調整を繰り返して行う必要があることに変わりはなかった。
【０００５】
そこで本発明は叙上のような従来存した諸事情に鑑み創出されたもので、その目的は例えば坂道や、水勾配が付されている傾斜した歩道等に地上電設機器を据え付け設置するに際し、設置現場における傾斜角度に対応してその場で調整設定でき、従来存した事前の調査に基づく設計、個別の製作等を不要とし、設置現場における汎用性、作業の能率向上等を図ることができる傾斜地用の地上電設機器の支持台装置を提供することにある。
【課題を解決するための手段】
【０００６】
上述した課題を解決するため、本発明にあっては、地中埋設のハンドホールの如き電気設備施設Ｈの地上開口部に位置決め設置される支持台本体１と、電気設備施設Ｈの地上開口部の受枠Ｈ１上で出没自在に進退されるアジャスター体１５を有して支持台本体１に設けられた傾斜調整機構１０とを備えて成ることを特徴とする。
支持台本体１は、電気設備施設Ｈの地表面で開口している開口部分を施蓋するよう開口部分に設置され、地上電設機器Ｅの底面の周囲形状に対応している枠体２から成り、この枠体２は断面で矩形状を呈する周囲枠部内にコンクリート材の如き固形物を充填することで形成されている。
傾斜調整機構１０は、内周面に送り雌ネジ１２が形成されていて、支持台本体１に固定されるベース体１１と、このベース体１１に進退自在にねじ込まれるよう外周面に送り雄ネジ１６が形成されていて、下端がベース体１１底部から出没自在になっているアジャスター体１５と、このアジャスター体１５に挿入され、アジャスター体１５の底部に傾動自在に係合して電気設備施設Ｈの開口部に当接連繋される取付ボルト２１とから成る。
アジャスター体１５の底部には、底部開口に至るに伴い次第に窄まり状となるボルト係合部１８と、このボルト係合部１８に連続させて底部開口に至るに伴い次第に拡開する傾斜調整部１９とを備えている。
ボルト係合部１８は湾曲上面を有し、このボルト係合部１８と取付ボルト２１頭部との間には、湾曲上面に対応して底面が湾曲しているコロ体２２が介在されるようにして構成することができる。
取付ボルト２１は、電気設備施設Ｈの受枠Ｈ１に装架される敷板２５に、ネジ止め部位で形成してある湾曲面を介して当接させることで傾動自在にネジ止めして構成することができる。
【０００７】
以上のように構成された本発明に係る傾斜地用の地上電設機器の支持台装置にあって、電気設備施設Ｈの地上開口部に位置決め設置された支持台本体１上に据え付けられる地上電設機器Ｅを、支持台本体１が傾斜調整機構１０によって電気設備施設Ｈの開口部の受枠Ｈ１に対して支持部位が所定の高さ位置で調整されることで傾斜を矯正させ、水平状態で設置させる。
傾斜調整機構１０は、ベース体１１内にネジ送り可能にしてネジ止めされているアジャスター体１５を回動操作することでベース体１１底部から外出しているアジャスター体１５の出没長さを変更させる。その結果、アジャスター体１５に係合してハンドホール等の電気設備施設Ｈの受枠Ｈ１に連繋している取付ボルト２１を介して受枠Ｈ１に対する高さ間隔を調整させ、傾斜調整機構１０部位における支持台本体１の設置高さを調整させ、傾斜している支持台本体１自体を必要とする水平状態に設定させる。
アジャスター体１５底部のボルト係合部１８、傾斜調整部１９は、鉛直方向に対して傾斜している電気設備施設Ｈの地表開口面に位置する受枠Ｈ１に対し、傾斜調整機構１０のアジャスター体１５がベース体１１から所定長さで外出することで鉛直方向に対して次第に起立状になるとき、その起立傾斜を許容させる。
また、取付ボルト２１とボルト係合部１８との間で介在された底面が湾曲しているコロ体２２、更に取付ボルト２１を傾動自在にしてネジ止めしている敷板２５は、傾斜状で装架される敷板２５に対して鉛直方向に沿ってアジャスター体１５を回動操作させ、その操作はベース体１１上方からのみで可能とさせて作業を迅速化させると共に、一旦、設置後でも必要であればその微調整をも容易にさせる。
【発明の効果】
【０００８】
本発明は以上説明したように構成されているため、例えば坂道や、水勾配が付されていることで車道側に傾斜している歩道等に地上電設機器Ｅを据え付け設置するに際し、設置現場における傾斜角度に対応してその場で水平状態に調整設定でき、体裁その他を考慮した設置形態とすることができる。そのため、従来存した設置場所の事前の調査に基づく設計、傾斜状態に応じた個別の製作等を不要とし、設置現場における汎用性、作業の能率向上等を図ることができる。
【０００９】
すなわちこれは、本発明において、地中埋設の電気設備施設Ｈの地上開口部に位置決め設置される支持台本体１と、電気設備施設Ｈの地上開口部の受枠Ｈ１上で出没自在に進退されるアジャスター体１５を有して支持台本体１に設けられた傾斜調整機構１０とを備えて成るからであり、これによって、地上用の地上電設機器Ｅの水平設置、地上面からのアジャスター体１５に対する回動操作のみの作業の簡易性、設置場所の傾斜程度に対応した調整設定の汎用性等が得られる。
【００１０】
また、傾斜調整機構１０は、支持台本体１に固定されるベース体１１に対し、下端がベース体１１底部から出没自在になっているアジャスター体１５を進退自在にねじ込み、このアジャスター体１５に、電気設備施設Ｈの開口部に当接連繋される取付ボルト２１をアジャスター体１５の底部に傾動自在に係合挿入して成るから、アジャスター体１５の回動操作によって、ベース体１１底部から外出しているアジャスター体１５の出没長さを変更できる。そのため、電気設備施設Ｈ、例えばその受枠Ｈ１に対する高さ間隔を調整でき、傾斜調整機構１０部位における支持台本体１の設置高さを調整させ、傾斜調整機構１０部位でのそれぞれの調整で、電気設備施設Ｈの開口部で仮置きで傾斜している支持台本体１自体を必要とする水平状態に設定でき、支持台本体１上に載置される地上電設機器Ｅを鉛直方向に沿わせることができる。
【００１１】
取付ボルト２１が係合されるアジャスター体１５は、その底部に底部開口に至るに伴い次第に窄まり状となるボルト係合部１８と、底部開口に至るに伴い次第に拡開する傾斜調整部１９とを連続させて成るから、アジャスター体１５に対して取付ボルト２１を所定の傾斜角度で連繋したままで係合しておくことができる。すなわち、鉛直方向に対して傾斜している電気設備施設Ｈの地表開口面に位置する受枠Ｈ１に対し、傾斜調整機構１０のアジャスター体１５が当接連繋した状態で、アジャスター体１５の外出長さが変更されるに伴い、鉛直方向に対して次第に起立状になるとき、その起立傾斜状態を許容させて、傾斜した受枠Ｈ１に対してでもベース体１１の鉛直状態を調整設定できる。
【００１２】
しかも、このとき、底面が湾曲しているコロ体２２が取付ボルト２１とボルト係合部１８との間で介在されており、また、取付ボルト２１は敷板２５に対して傾動自在にネジ止めしてあるから、傾斜状となっている敷板２５に対してでも、鉛直方向に沿ってアジャスター体１５を回動操作できる。更にその回動操作は、設置場所における支持台本体１におけるベース体１１上方からで可能であり、しかも回動操作のみであるから設置作業を迅速化させると共に、一旦、設置後でも必要であればその微調整をも容易にさせる。
【００１３】
また、支持台本体１においての傾斜調整機構１０部位それぞれで、受枠Ｈ１に対する高さを調整変更できるから、設置現場で微妙に傾斜角度、範囲が異なっていても、現場においてそれぞれで微調整することで対応でき、極めて便利である。
【００１４】
尚、上記の課題を解決するための手段、発明の効果の項それぞれにおいて付記した符号は、図面中に記載した構成各部を示す部分との参照を容易にするために付した。本発明は図面中の符号によって示された構造・形状等に限定されない。
【発明を実施するための最良の形態】
【００１５】
以下図面を参照して本発明を実施するための最良の一形態を説明する。図において示される符号１は、地中に埋設される各種の電力、通信用のケーブル等の分岐、集約その他のために地中に埋設されるハンドホールの如き電気設備施設Ｈ等において、これの地表面で開口している開口部分を施蓋するよう、開口部分に設置される支持台本体である。尚、この支持台本体１は、電気設備施設Ｈ等の開口部分を閉塞する蓋体Ｃとは別にして設置されるも、場合によっては蓋体Ｃを兼用することも、蓋体Ｃ上に別個に配置されることもある。尚、電気設備施設Ｈ等は水勾配が付されている歩道や、坂道等のいずれにも設置されるから、本発明支持台装置はそのいずれにも適用可能であるのは勿論である。
【００１６】
そして、この支持台本体１は、電気設備施設Ｈの傾斜している開口部分における受枠Ｈ１に連繋される敷板２５に対して傾斜調整機構１０を介して水平状に設置され、所定の例えば縦長ボックス状の地上電設機器Ｅが据え付けられる。
【００１７】
支持台本体１は、地上電設機器Ｅを据え付けるに足りる前後左右方向に沿う横幅、奥行の幅員それぞれを有し、図示のように地上電設機器Ｅの底面の周囲形状、例えば矩形状であることに対応して平面で矩形状を呈する枠体２から成る。枠体２自体は、図２に示すように例えば断面で矩形状を呈する周囲枠部内にコンクリート材の如き固形物を充填することで形成されており、電気設備施設Ｈの開口部に設置されるときの傾斜方向に沿った上下部分の所定位置に傾斜調整機構１０を配置してある。この支持台本体１自体は、地上電設機器Ｅが設置されるときの傾斜方向に沿って縦長あるいは横長にしていずれの方向でも現場に応じて選択的に設置されるようにしておくと良く、これに対応して、傾斜調整機構１０は枠体２の対向する辺縁の端部それぞれに配置しておくと良い（図２参照）。
【００１８】
傾斜調整機構１０は、内周面に送り雌ネジ１２が形成されていて、支持台本体１に固定されるベース体１１と、このベース体１１に進退自在にねじ込まれるよう外周面に送り雄ネジ１６が形成されていて、ベース体１１底部から出没自在になっているアジャスター体１５と、このアジャスター体１５に挿入され、アジャスター体１５の底部に傾動自在に係合して、敷板２５を介してハンドホールＨの開口部に連繋される取付ボルト２１とから成る（図３参照）。
【００１９】
ベース体１１は筒状を呈していて、外側面に例えば対称的に形成した凹溝状の係合部１３が枠体２自体の側壁片と噛み合い状に係合することで、枠体２に対して回転することなくしっかりと固定されている（図５参照）。ベース体１１における送り雌ネジ１２は、断面でほぼ台形状を呈し、アジャスター体１５における同様な台形状を呈する送り雄ネジが噛み合せられることで、ベース体１１に対してアジャスター体１５を進退自在に確実、円滑にネジ送りさせるようにしてある。
【００２０】
また、ベース体１１における送り雌ネジ１２は、ベース体１１内周面のほぼ上半部ではアジャスター体１５の外径に比し大径に形成する共にネジを形成しない平坦面となしたフリー空間部１４とし、下半部にのみ送り雌ネジ１２が形成されているものとしてある。こうすることで、ベース体１１における下半部の送り雌ネジ１２部分にアジャスター体１５が噛み合うことで、噛み合い時のベース体１１とアジャスター体１５との結合長さの調整を可能とさせ、またベース体１１自体の充分な高さ（長さ）を確保しながら、アジャスター体１５との噛み合い調整を円滑にさせる。
【００２１】
アジャスター体１５は筒状を呈し、外周面の断面でほぼ台形状を呈する送り雄ネジ１６によって、ベース体１１に対してベース体１１の内部でネジ送りによって進退自在に結合されており、アジャスター体１５の下端は、ベース体１１にネジ止め状態でベース体１１底部から出没自在になっている。そして、湾曲面を呈するアジャスター体１５の内側面上部には、例えば左右対称的にして平坦面状に形成した回動操作端部１７を備えており、この回動操作端部１７に当接状にして嵌め入れられる所定の工具によってアジャスター体１５自体を回動操作できるようにしてある。このときのベース体１１からアジャスター体１５が外出される調整範囲は、受枠Ｈ１あるいは敷板２５の傾斜角度に対応して異なる高さで例えば４５ｍｍ程度に設定されている（図４（ａ）、（ｂ）参照）。
【００２２】
このアジャスター体１５の底部には、底部開口に至るに伴い次第に窄まり状となるボルト係合部１８と、このボルト係合部１８に連続させて底部開口に至るに伴い次第に拡開する傾斜調整部１９とを備えている。ボルト係合部１８は、その上面が湾曲状を呈し、取付ボルト２１における軸部の頭部底面側に嵌め合わせる湾曲面を備えたコロ体２２が湾曲上面に傾動自在に当接し、ボルト係合部１８と取付ボルト２１頭部との間にコロ体２２が介在されることで、取付ボルト２１自体が所定の角度の範囲内でアジャスター体１５乃至ベース体１１に対して傾くようにしてある。傾斜調整部１９は、この傾斜調整部１９内に挿通される取付ボルト２１がアジャスター体１５に対して所定の傾斜角度で設定されるときの傾きを許容する角度でラッパ状に拡開されており、中心線に対して例えば６度の拡開角度で形成されている。
【００２３】
アジャスター体１５の底面は湾曲面状に形成されており、アジャスター体１５のボルト係合部１８に係合している取付ボルト２１を敷板２５にネジ止め固定した状態で、敷板２５に対して取付ボルト２１が傾動するとき、傾斜配置される敷板２５に対しての取付ボルト２１の取付角度の自在性が得られるように配慮してある。
【００２４】
また、取付ボルト２１は、図示にあっては穴付き頭部を有するタイプのものとしてあって、アジャスター体１５内に挿入された取付ボルト２１がベース体１１の上方から挿入する所定のねじ回し工具によって回動操作が行えるようにしてある。尚、この取付ボルト２１の頭部底面を、ボルト係合部１８の湾曲上面に対応した湾曲面状に形成することで、コロ体２２を不要とすることもできる。
【００２５】
コロ体２２は、取付ボルト２１のネジ軸部に嵌め合わせるようにドーナツ状を呈するワッシャとなっていて、底面はボルト係合部１８の湾曲上面に対応した湾曲面に形成されており、取付ボルト２１の頭部とボルト係合部１８の湾曲上面との間に介在されることで取付ボルト２１自体がアジャスター体１５に対して円滑に傾斜されるようにしている。
【００２６】
前記敷板２５は、傾斜調整機構１０の取付ボルト２１を挿通固定させてねじ止めするネジ止め孔２６が対状にして開穿された帯板状を呈し、ハンドホールＨにおける受枠Ｈ１に連繋されるもので、例えば受枠Ｈ１における対向している辺縁部分相互間で掛け渡し、装架されることで配置される。傾斜している受枠Ｈ１に掛け渡されることで、敷板２５が傾斜されても、傾斜調整機構１０を介して支持台本体１自体を水平状に取付調整することで地上電設機器Ｅが水平設置されるようになっている。尚、取付ボルト２１を受枠Ｈ１に直接にねじ止めすることで、支持台本体１が設置可能である場合には、敷板２５が使用されないこともある。
【００２７】
図中符号３０は、支持台本体１自体をクレーン機器その他で吊り下げ支持するときの連繋ネジ部である。
【００２８】
次にこれの使用の一例を説明する。例えば坂道や、水勾配がなされている歩道等で、地中に埋設されるハンドホールの如き電気設備施設Ｈの開口部を施蓋し、所定の地上電設機器Ｅを据え付けるとき、受枠Ｈ１上に仮に設置しておいた支持台本体１において、傾斜調整機構１０のアジャスター体１５をその回動操作端部１７によって回動することで設置高さを調整し、傾斜を矯正して地上電設機器Ｅを水平状態で設置する。
【００２９】
すなわち、枠体２に固定されているベース体１１内に、取付ボルト２１がボルト係合部１８に挿通係合されている状態のアジャスター体１５をネジ止めあるいはフリー空間部１４に挿入しておく。それと共に、ベース体１１あるいはアジャスター体１５下方に外出している取付ボルト２１先端を敷板２５にねじ止め固定し、アジャスター体１５底面をネジ止め孔２６周辺縁にしっくりと当接させておく（図４参照）。こうしておいて、支持台本体１自体をハンドホールＨにおける開口部分の受枠Ｈ１上に、例えば敷板２５を受枠Ｈ１上に掛け渡すようにして、あるいは敷板２５を介さずに取付ボルト２１を受枠Ｈ１に直接にネジ止めすることで位置決めする。次いで、ベース体１１内で、回動操作端部１７面に当接する所定の工具の回動操作によってアジャスター体１５をベース体１１に対してネジ送りし、ベース体１１下方に突出するアジャスター体１５の出没長さを調整設定する。こうすることで、敷板２５あるいは受枠Ｈ１に対して、その上面から離隔し、高さを設定することで支持台本体１自体を水平状にすればよい（図４（ａ）、（ｂ）参照）。このとき、傾斜調整機構１０は例えば支持台本体１の前後方向、左右方向の四隅にあることで水平レベル出しをかなりの程度で精確に調整でき、また、地上における作業員による回動作業のみで迅速に行える。
【図面の簡単な説明】
【００３０】
【図１】本発明を実施するための最良の形態を示す使用状態の断面図である。
【図２】同じく概略を示す分解斜視図である。
【図３】同じく傾斜調整機構の分解断面図である。
【図４】同じく傾斜調整機構の断面図で、その（ａ）は調整高さが高くなる場合、その（ｂ）は高さが低くなる場合である。
【図５】同じく平面図である。
【符号の説明】
【００３１】
Ｃ…蓋体                                Ｅ…地上電設機器
Ｈ…電気設備施設                        Ｈ１…受枠
１…支持台本体                          ２…枠体
１０…傾斜調整機構                      １１…ベース体
１２…送り雌ネジ                        １３…係合部
１４…フリー空間部                      １５…アジャスター体
１６…送り雄ネジ部                      １７…回動操作端部
１８…ボルト係合部                      １９…傾斜調整部
２１…取付ボルト                        ２２…コロ体
２５…敷板                              ２６…ネジ止め孔
【図１】
2009207216.tif 000003
【図２】
2009207216.tif 000004
【図３】
2009207216.tif 000005
【図４】
2009207216.tif 000006
【図５】
2009207216.tif 000007